【誤訳訂正書】
【提出日】平成29年10月5日(2017.10.5)
【誤訳訂正１】
【訂正対象書類名】特許請求の範囲
【訂正対象項目名】全文
【訂正方法】変更
【訂正の内容】
【特許請求の範囲】
【請求項１】
被験者の排痰のためのシステムであって、前記システムは、
被験者の気道への送出用の呼吸用ガスの加圧フローを生成する圧力発生器と、
被験者の気道に前記呼吸用ガスの加圧フローを導く被験者インタフェースと、
ガスパラメータ及び／又は呼吸パラメータの一方又は両方を含む１以上のパラメータに関する情報を伝達する１以上の出力信号を生成する１以上のセンサと、
コンピュータプログラムモジュールを実行する１以上のプロセッサと、
を有し、前記コンピュータプログラムモジュールは、
被験者に排痰を提供するために前記圧力発生器を制御する制御モジュールと、
被験者の個々の排痰の有効性を数値化するために、前記１以上の出力信号に基づいて最大咳フローパラメータを決定するパラメータ決定モジュールと、
を有する、システム。
【請求項２】
情報を表示する電子ディスプレイと、
表示された前記情報が前記最大咳フローパラメータに基づくように、前記電子ディスプレイを制御するインタフェースモジュールと、
を更に有する、請求項１に記載のシステム。
【請求項３】
前記最大咳フローパラメータの前記決定は、前記１以上のセンサと被験者の気道との間に配置された前記被験者インタフェースの一部の補償を含む、請求項１に記載のシステム。
【請求項４】
前記パラメータ決定モジュールは、更に吸気１回換気量を決定し、前記表示された情報は、更に前記吸気１回換気量に基づく、請求項２に記載のシステム。
【請求項５】
情報を電子的に格納する電子記憶媒体を有する電子記憶装置と、
前記電子記憶装置に格納される情報を、前記１以上の生成された出力信号に基づいて、格納するメトリック記憶モジュールと、
を更に有する、請求項１に記載のシステム。
【請求項６】
被験者の排痰の有効性を決定する方法であって、前記方法は、
呼吸用ガスの加圧フローが、被験者の気道へ送出するために生成され、及び被験者の気道に導かれる間に、ガスパラメータ及び／又は呼吸パラメータの一方又は両方を含む１以上のパラメータに関する情報を伝達する１以上の出力信号を１以上のセンサによって生成するステップと、
被験者の個々の排痰の有効性を数値化するために、被験者を排痰するために前記呼吸用ガスの加圧フローが制御される間に、前記１以上の出力信号に基づいて最大咳フローパラメータを決定するステップと、
を有する、方法。
【請求項７】
ディスプレイに情報を表示するステップを更に含み、前記表示された情報は、前記最大咳フローパラメータに基づく、請求項６に記載の方法。
【請求項８】
前記最大咳フローパラメータを決定するステップは、前記１以上のセンサと被験者の気道との間に使用される導管の長さを補償するステップを含む、請求項６に記載の方法。
【請求項９】
吸気１回換気量を決定するステップを更に含み、前記表示された情報は、更に前記吸気１回換気量に基づく、請求項７に記載の方法。
【請求項１０】
前記１以上の生成された出力信号に基づいて情報を格納するステップを更に有する、請求項６に記載の方法。
【誤訳訂正２】
【訂正対象書類名】明細書
【訂正対象項目名】全文
【訂正方法】変更
【訂正の内容】
【発明の詳細な説明】
【発明の名称】咳介助及び測定システム並びに方法
【技術分野】
【０００１】
［０１］  この特許出願は、２０１２年５月２２日に出願された米国仮出願第６１／６５０，０７９号の３５Ｕ．Ｓ．Ｃ．§１１９（ｅ）の優先権を主張し、その内容は、参照によりここに組み込まれる。
【０００２】
［０２］  本発明は、被験者の排痰のためのシステム及び方法に関する。特に、本明細書に説明されるシステム及び方法は、例えば最大咳フロー（peak cough flow）及び吸気１回換気量を含むさまざまなガス及び／又は呼吸パラメータを通して、個々の排痰の有効性を定量的に測定、表示、及び／又は記録する。
【背景技術】
【０００３】
［０３］  呼気（吸気）を通して患者の咳フロー（cough flow）を増加させるさまざまなシステムが知られている。従来の呼気（吸気）は、一般的に、被験者の単一呼気を含む単一の呼気（吸気）イベントを用いて達成される。呼吸サーキット及び／又は被験者は、被験者の気道に能動的に圧力を加え、その後、呼吸サーキット及び／又は被験者は、すぐに圧力を逆向きにし、このガスの全て（又は実質的に全て）を吐き出す。従って、時間とともに被験者の気道に溜まる分泌物は、ガスと共に吐き出される。呼気（吸気）に用いられる従来システムの動作の制御は、吸気圧力、並びに／又は、吸気及び／若しくは呼気の期間に関する１以上の時間パラメータの設定を含む。
【０００４】
［０４］  機械的及び／又は電子的介助の助けを借りない被験者による手動の排痰のいくつかの特徴は、スパイロメータを用いて数値化される。例えば、被験者は、例えばピーク呼気フロー及び／又は呼気１回換気量が測定されるように、スパイロメータに咳をする。スパイロメータの使用は、限定されるわけではないが、機械的に換気される患者の一部がスパイロメータを使用することができないという制限を含むさまざまな実用的な制限によって限定されることに留意されたい。
【発明の概要】
【発明が解決しようとする課題】
【０００５】
［０５］  従って、本発明の１以上の態様は、被験者の排痰のために構成されたシステムに関する。システムは、被験者の気道への送出用の呼吸用ガスの加圧フローを生成するよう構成される圧力発生器と、被験者の気道に呼吸用ガスの加圧フローを導くように構成される被験者インタフェースと、ガスパラメータ及び／又は呼吸パラメータの一方又は両方を含む１以上のパラメータに関する情報を伝達する１以上の出力信号を生成するよう構成される１以上のセンサと、コンピュータプログラムモジュールを実行するように構成される１以上のプロセッサとを有する。コンピュータプログラムモジュールは、被験者の排痰のために圧力発生器を制御するように構成される制御モジュールと、１以上の出力信号に基づいて最大咳フローパラメータを決定するように構成されるパラメータ決定モジュールとを有する。
【課題を解決するための手段】
【０００６】
［０６］  本発明の更なる別の態様は、被験者の排痰のための方法に関する。方法は、被験者の気道への送出用の呼吸用ガスの加圧フローを生成するステップと、被験者の気道に呼吸用ガスの加圧フローを導くステップと、ガスパラメータ及び／又は呼吸パラメータの一方又は両方を含む１以上のパラメータに関する情報を伝達する１以上のセンサによって１以上の出力信号を生成するステップと、被験者の排痰のために、呼吸用ガスの加圧フローを制御するステップと、１以上の出力信号に基づいて最大咳フローパラメータを決定するステップとを有する。
【０００７】
［０７］  本発明の更に別の態様は、被験者の排痰のために構成されるシステムに関する。システムは、被験者の気道への送出用の呼吸用ガスの加圧フローを生成する手段と、被験者の気道に呼吸用ガスの加圧フローを導く手段と、ガスパラメータ及び／又は呼吸パラメータの一方又は両方を含む１以上のパラメータに関する情報を伝達する１以上の出力信号を生成するセンサ手段と、被験者を排痰するために圧力手段を制御するための制御手段と、１以上の出力信号に基づいて最大咳フローパラメータを決定する手段とを有する。
【０００８】
［０８］  本発明のこれら及び他の目的、特徴、並びに特性は、動作の方法、構成の関連する要素の機能、パーツの組み合わせ、及び製造の経済性と共に、添付の図面を参照して以下の説明及び添付の請求項を検討するとより明らかになり、全ての図が、この明細書の一部を形成し、同様の参照番号は、さまざまな図において対応する部分を示す。しかしながら、図面は例示及び説明のためのものであり、本発明の限定を規定するものとして意図されていないことがはっきりと理解されるべきである。
【図面の簡単な説明】
【０００９】
【図１】［０９］  図１は、１以上の実施形態による、被験者の排痰のために構成されるシステムを図示する。
【図２】［１０］  図２は、１以上の実施形態による、被験者の排痰のための方法を図示する。
【発明を実施するための形態】
【００１０】
［１１］  ここで用いられる、「ある（a, an）」及び「その（the）」の単数形は、文脈が明らかにそうでないことを指示しない限り、複数形を含む。ここで用いられる、２以上のパーツ又はコンポーネントが「結合（coupled）される」という記述は、これらのパーツが、リンクが起こる限り、直接的に又は間接的に、すなわち、１つ又は複数の中間的なパーツ又はコンポーネントを介して接合されるか、又は一緒に動作することを意味するものとする。ここで用いられる、「直接的に結合される（directly coupled）」とは、２つの要素が互いと直接的に接触していることを意味する。ここで用いられる、「固定的に結合される（fixedly coupled）」又は「固定される（fixed）」とは、２つのコンポーネントが互いに対して一定の向きを維持しながら１つのものとして移動するように結合されることを意味する。
【００１１】
［１２］  ここで用いられる、単語「単一（unitary）」は、コンポーネントが単一のピース又はユニットとして作られることを意味する。すなわち、別々に作られ、その後にユニットとして一緒に結合されるピースを含むコンポーネントは、「単一」のコンポーネント又はボディではない。ここで用いられる、２以上のパーツ又はコンポーネントが互いに「係合（engage）する」という記述は、これらパーツが、直接的に又は１つ若しくは複数の中間的なパーツ若しくはコンポーネントを介してのいずれかで互いに対して力を及ぼすことを意味するものとする。ここで用いられる、用語「数（number）」は、１又は１より大きい整数（すなわち複数）を意味するものとする。
【００１２】
［１３］  限定するわけではないが、例えば、トップ、ボトム、左、右、上方、下方、前方、後方、及びこれらの派生語のような、ここで使用される方向性のフレーズは、図面に示される要素の向きに関するが、明確に示されない限り請求項に対して限定的ではない。
【００１３】
［１４］  図１は、被験者１０６の排痰のためのシステム１０の例示的な実施形態を模式的に図示する。排痰は、分泌物を軟化させ及び／又は吐き出す。補助されない排痰は、広範囲の種々異なる医学的理由のために、さまざまな患者にとって難しい及び／又は不可能であり得る。（例えば個々の呼吸サイクル中の）個々の排痰の有効性は、下記に説明されるように、１以上の特徴的なパラメータを用いて数値化することができる。システム１０は、個々の排痰、このような排痰のセット、１以上のこのような排痰を含む個々の治療、このような治療のセット、１以上のこのような治療を含む日数、及び／又は１以上のこのような個々の排痰を含む治療時間の他の期間に関する情報を測定、表示、及び／又は記録する。
【００１４】
［１５］  システム１０は、１以上の圧力発生器１４０、ユーザインタフェース１２０、送出サーキット１８０、電子記憶装置１３０、１以上のセンサ１４２、１以上のプロセッサ１１０、制御モジュール１１１、パラメータ決定モジュール１１２、インタフェースモジュール１１３、メトリック記憶モジュール１１４、及び／又は他のコンポーネントを含む。システム１０は、排痰を提供する専用システムである。
【００１５】
［１６］  いくつかの実施形態では、図１におけるシステム１０の圧力発生器１４０は、換気装置又はシステムに一体化され、組み合わされ、又は接続されてもよい。
【００１６】
［１７］  圧力発生器１４０は、被験者１０６の気道との流体連通のための呼吸用ガスの加圧フローを、例えば送出サーキット１８０を介して提供するように構成される。流体連通の方向は、選択的に制御されてもよい。圧力発生器１４０は、圧力レベル、フロー、湿度、速度、加速度、及び／又は呼吸用ガスの加圧フローの他のパラメータの１以上を調整するように構成されてもよい。
【００１７】
［１８］  送出サーキット１８０は、被験者１０６の気道への呼吸用ガス及び／若しくは被験者１０６の気道からの呼吸用ガスの方向並びに／又はフローを選択的に制御するように構成される。送出サーキット１８０は、被験者インタフェース１８０と呼ばれることもある。送出サーキット１８０は、第１モード、第２モード、第３モード、及び／又は他のモードの１以上で動作するように構成されてもよい。１以上のモードは、呼吸サイクルの１以上の呼吸相に対応してもよい。第１モードでは、送出サーキット１８０は、これを通して実質的にガスが被験者１０６の気道に伝わらないように閉じている。第２モードでは、送出サーキット１８０は、ガスが、被験者１０６の気道から、送出サーキット１８０を通して、例えば周囲大気に排気されることができるように開いている。第３モードでは、送出サーキット１８０は、ガスが、送出サーキット１８０を通して、被験者１０６の気道に送られることができるように開いている。
【００１８】
［１９］  いくつかの実施形態では、送出サーキット１８０は、１以上の弁及び／又は別の圧力調整デバイスを含んでもよい。一実施形態では、送出サーキット１８０は、複数の弁を直列及び／又は並列に含んでもよい。適切な弁及び／又は他の圧力調整デバイスは、プラグ弁、ボール弁、逆止め弁、バタフライ弁、ソレノイド、及び／又は他の圧力調整デバイスを含む。圧力調整デバイスは、油圧で、空気圧で、電気モータ、並びに／又は、弁及び／若しくは他の圧力制御デバイスを開ける及び／若しくは閉じるように構成された別の制御モードで制御されてもよい。
【００１９】
［２０］  送出サーキット１８０は、導管１８２、及び／又は被験者インタフェース装置１８４を含んでもよい。導管１８２は、被験者インタフェース装置１８４を圧力発生器１４０と流体連通状態にする単一リブ構成又は複数リブ構成のいずれかにおける可変長のホース又は他の導管を含んでもよい。導管１８２は、呼吸用ガス（例えば空気）の加圧フローが被験者インタフェース装置１８４と圧力発生器１４０との間でやりとりされるフローパスを形成する。
【００２０】
［２１］  図１におけるシステム１０の被験者インタフェース装置１８４は、被験者１０６の気道に呼吸用ガスの加圧フローを送出するように構成される。また、被験者インタフェース装置１８４は、この機能に適した任意の装置を含んでもよい。いくつかの実施形態では、被験者インタフェース装置１８４は、介在装置無しで被験者１０６の気道と係合するように構成される。この実施形態では、被験者インタフェース装置１８４は、気管内チューブ、鼻カニューレ、気管切開チューブ、鼻マスク、鼻／口マスク、フルフェースマスク、トータルフェースマスク、及び／又は被験者の気道とガスのフローをやりとりする他のインタフェース装置の１以上を含んでもよい。いくつかの実施形態では、圧力発生器１４０は、専用の換気装置であり、被験者インタフェース装置１８４は、被験者１０６に呼吸療法を提供するのに使用される別のインタフェース装置と着脱可能に結合されるように構成される。例えば、被験者インタフェース装置１８４は、気管内チューブ、気管切開門脈（tracheotomy portal）、及び／又は他のインタフェース装置と係合する、及び／又は、に挿入されるように構成されてもよい。本発明は、これらの具体例に限定されず、任意の被験者インタフェースを用いて被験者１０６に呼吸用ガスの加圧フローの提供を想定する。
【００２１】
［２２］  図１におけるシステム１０の電子記憶装置１３０は、情報を電子的に格納する電子記憶媒体を有する。電子記憶装置１３０の電子記憶媒体は、システム１０に一体的に（すなわち、実質的に着脱不可に）提供されるシステム記憶装置、及び／又は例えばポート（ＵＳＢポート、ＦｉｒｅＷｉｒｅポートなど）、スロット（ＳＤカードスロットなど）、又はドライブ（ディスクドライブなど）などを介して、システム１０に着脱可能に接続可能な、着脱可能な記憶装置の一方又は双方を含んでもよい。電子記憶装置１３０は、光学的に可読な記憶媒体（光ディスクなど）、磁気的に可読な記憶媒体（磁気テープ、磁気ハードドライブ、フロッピー（登録商標）ドライブなど）、電荷ベース記憶媒体（ＥＰＲＯＭ、ＥＥＰＲＯＭ、ＲＡＭなど）、ソリッドステート記憶媒体（フラッシュドライブなど）、及び／又は他の電子的に可読な記憶媒体の１以上を含んでもよい。電子記憶装置１３０は、ソフトウェアアルゴリズム、プロセッサ１１０により決定される情報、ユーザインタフェース１２０を介し受信される情報、及び／又はシステム１０が適切に機能することを可能にする他の情報を格納してもよい。例えば、電子記憶装置ジ１３０は、（本明細書の他の部分で述べられるように）個々の排痰、及び／又は１以上の排痰を含む治療に関する情報、及び／又は他の情報を記録又は格納してもよい。電子記憶装置１３０は、システム１０内の独立したコンポーネントであってもよく、あるいは、電子記憶装置１３０は、システム１０の１以上の他のコンポーネント（プロセッサ１１０など）と一体的に提供されてもよい。
【００２２】
［２３］  図１におけるシステム１０のユーザインタフェース１２０は、ユーザがシステム１０に情報を提供し、システム１０から情報を受信することができる、システム１０とユーザ（ユーザ１０８、被験者１０６、介護者、療法決定者など）との間のインタフェースを提供するよう構成される。これは、「情報」と集合的に呼ばれるデータ、結果、及び／又は命令、並びに任意の他の通信可能なアイテムが、ユーザとシステム１０との間で通信されることを可能にする。ユーザ１０８に伝達される情報の例は、被験者が治療及び／又は療法を受けている期間全体にわたる個々の排痰に関する定量的な情報が詳述されるレポートである。ユーザインタフェース１２０に含めるのに適したインタフェース装置の例は、キーパッド、ボタン、スイッチ、キーボード、ノブ、レバー、ディスプレイ画面、情報を表示するように構成された電子ディスプレイ１５０、タッチ画面、スピーカ、マイクロフォン、インジケータライト、可聴アラーム、及びプリンタである。情報は、可聴信号、視覚信号、触覚信号、及び／又は他の感覚信号の形態で、ユーザインタフェース１２０によりユーザ１０８又は被験者１０６に提供されてもよい。電子ディスプレイ１５０は、図１においてユーザインタフェース１２０から独立した存在として表現されているが、これは単なる例示目的である。いくつか実現形態では、電子ディスプレイ１５０は、ユーザインタフェース１２０に一体化され、組み込まれ、及び／又は結合されてもよい。
【００２３】
［２４］  有線又は無線の他の通信技術もユーザインタフェース１２０としてここで想定されることが理解されるべきである。例えば、一実施形態では、ユーザインタフェース１２０は、電子記憶装置１３０により提供される着脱可能な記憶装置インタフェースに一体化されてもよい。この例では、ユーザがシステム１０をカスタマイズすることを可能にする情報が、着脱可能なストレージ（スマートカード、フラッシュドライブ、着脱可能ディスクなど）からシステム１０にロードされる。ユーザインタフェース１２０としてシステム１０と共に使用されるように適合された他の例示的な入力装置及び技術は、ＲＳ−２３２ポート、ＲＦリンク、ＩＲリンク、モデム（電話、ケーブル、イーサネット（登録商標）、インターネットなど）を含むが、これらに限定されない。要するに、システム１０と情報を通信するための任意の技術が、ユーザインタフェース１２０として想定される。
【００２４】
［２５］  図１におけるシステム１０の１以上のセンサ１４２は、呼吸エアフロー及び／又は気道メカニックスのパラメータに関する測定結果を伝達する出力信号を生成するよう構成される。これらのガスパラメータは、フロー、（気道）圧力、湿度、速度、加速度、及び／又は他のガス若しくは呼吸パラメータの１以上を含んでもよい。これらのパラメータは、圧力発生器１４０を通して提供された呼吸用ガスの加圧フロー及び／又は被験者１０６の気道における又はその近くの、例えば被験者インタフェース装置１８４内のガスのフローの１以上のガスレベルに関連してもよい。図１に表現されるように、１以上のセンサ１４２は、導管１８２及び／又は被験者インタフェース装置１８４と流体連通状態にあってもよい。いくつかの実施形態では、１以上のセンサ１４２は、被験者１０６に関する生理的パラメータに関する出力信号を生成してもよい。
【００２５】
［２６］  図１における２つの部材を含むセンサ１４２の図示は、限定的であることを意図していない。被験者インタフェース装置１８４における又はその近くのセンサ１４２の図示は、限定的であることを意図していない。圧力発生器１４０における又はその近くのセンサ１４２の図示は、限定的であることを意図していない。一実施形態では、センサ１４２は、被験者１０６の気道の状態及び／又はコンディション、被験者１０６の呼吸、被験者１０６により呼吸されたガス、被験者１０６により呼吸されたガスの組成、被験者１０６の気道へのガスの送出、及び／又は被験者による呼吸努力に関連するパラメータに関する情報を伝達する出力信号を生成することによって、上記のように動作する複数のセンサを含む。例えば、パラメータは、バルブ駆動電流、回転速度、モータ速度、ブロワ速度、ファン速度、又は、既知の及び／若しくはキャリブレートされた数学的関係を介し先にリストされたパラメータの何れかのプロキシとして機能する関連の測定結果などの、圧力発生器１４０（又は圧力発生器１４０が一体化され、組み合わされ、又は結合される装置）のコンポーネントの測定結果のメカニカルユニットに関連するものであってもよい。１以上のセンサ１４２からの結果信号又は情報は、システム１０のプロセッサ１１０、ユーザインタフェース１２０、電子記憶装置１３０、及び／又は他のコンポーネントに送信されてもよい。この送信は、有線及び／又は無線でもよい。
【００２６】
［２７］  図１のシステム１０のプロセッサ１１０は、システム１０において情報処理能力を提供するよう構成される。また、プロセッサ１１０は、デジタルプロセッサ、アナログプロセッサ、情報を処理するよう設計されたデジタル回路、情報を処理するよう設計されたアナログ回路、状態マシーン、及び／又は情報を電子的に処理する他の機構の１以上を含む。プロセッサ１１０は図１において単一の存在として表現されているが、これは単なる例示目的である。いくつか実現形態では、プロセッサ１１０は、複数の処理ユニットを含む。
【００２７】
［２８］  図１に示されるように、プロセッサ１１０は、１以上のコンピュータプログラムモジュールを実行するよう構成される。１以上のコンピュータプログラムモジュールは、制御モジュール１１１、パラメータ決定モジュール１１２、インタフェースモジュール１１３、メトリック記憶モジュール１１４、及び／又は他のモジュールの１以上を有する。プロセッサ１１０は、ソフトウェア、ハードウェア、ファームウェア、ソフトウェア、ハードウェア、及び／若しくはファームウェアのある組み合わせ、並びに／又はプロセッサ１１０上で処理能力を構成するための他の機構によって、モジュール１１１−１１４を実行するように構成されてもよい。
【００２８】
［２９］  モジュール１１１−１１４は、図１において、単一の処理ユニット内に一緒に配置されるように図示されているが、プロセッサ１１０が複数の処理ユニットを有する実施形態では、モジュール１１１−１１４の１以上は、他のモジュールから遠隔に配置されてもよいと理解されるべきである。ここに記載される種々異なるモジュール１１１−１１４により提供される機能の説明は例示目的のためであり、モジュール１１１−１１４の何れかは、記載されている機能よりも多くの又は少ない機能を提供してもよいため、限定的であることを意図していない。例えば、モジュール１１１−１１４の１以上は排除されてもよく、それの機能の一部又はすべては、モジュール１１１−１１４の他のものに組み込まれ、共有され、一体化され、及び／又はそれによって提供されてもよい。プロセッサ１１０は、モジュール１１１−１１４の一つに帰属する機能の一部又はすべてを実行してもよい１以上の追加的なモジュールを実行するように構成されてもよいことに留意されたい。
【００２９】
［３０］  図１におけるシステム１０のパラメータ決定モジュール１１２は、センサ１４２により生成される出力信号にからガスパラメータ、呼吸パラメータ、及び／又は他のパラメータの１以上を決定するよう構成される。１以上のガスパラメータは、（ピーク）フロー、フローレート、（換気）ボリューム、圧力、温度、湿度、速度、加速度、ガス組成（例えばＣＯ２などの１以上の構成成分の濃度など）、発散熱エネルギー、（意図的な）ガスリーク、及び／又は呼吸用ガスの（加圧）フローに関する他の測定結果の１以上を含む及び／又はこれらに関連してもよい。１以上の呼吸パラメータは、ガスパラメータ及び／又は呼吸用ガスの加圧フローの測定結果を伝達する他の出力信号から導出されてもよい。１以上の呼吸パラメータは、呼吸レート、呼吸期間、吸気時間又は期間、呼気時間又は期間、呼吸フロー曲線、吸入から呼気まで及び／又は呼気から吸入までの移行時間、ピーク吸入フローレートからピーク呼気フローレートまで及び／又はピーク呼気フローレートからピーク吸入フローレートまでの移行時間、呼吸圧力曲線、（呼吸サイクル及び／又は相毎の）最大近接圧力降下、最大咳フロー、平均（又は総計された）咳フロー、（１以上の呼吸サイクルに対する）吸気１回換気量、（１以上の呼吸サイクルに対する）呼気１回換気量、及び／又は他の呼吸パラメータの１以上を含んでもよい。呼吸パラメータは、ブレスバイブレス式で、カフバイカフ（cough-by-cough）式で、及び／又は他の間隔で決定されてもよい。
【００３０】
［３１］  例えば、最大咳フローパラメータは、個々の呼吸サイクル及び／又は個々の排痰に対して決定されてもよい。最大咳フローパラメータは、どの位効果的に被験者１０６が分泌物を除去することができるか、どの程度被験者１０６の気道がきれいであるかの決定、並びに／又は、排痰、呼吸療法、及び／若しくは被験者１０６のコンディションに関する任意の他の決定のためのベースとして使用されてもよい。例えば、吸気１回換気量は、個々の呼吸サイクル及び／又は個々の排痰に対して決定されてもよい。吸気１回換気量は、どの位効果的に被験者１０６が分泌物を除去することができるか、どの程度被験者１０６の気道がきれいであるかの決定、並びに／又は、排痰、呼吸療法、及び／若しくは被験者１０６のコンディションに関する任意の他の決定のためのベースとして使用されてもよい。ここに説明される他のパラメータをこのような決定を形成するのに使用することは、この発明の範囲内に想定される。ここに説明される被験者を排痰するシステム及び方法によって、このような決定が客観的基準によって形成し得ることに留意されたい。
【００３１】
［３２］  いくつかの実施形態では、パラメータ決定モジュール１１２による最大咳フローパラメータ（及び／又はここに説明されるほかのパラメータ）の決定は、特定のセンサ１４２と被験者１０６の気道との間で使用される導管１８２の長さ（及び／又は送出サーキット１８０の１以上のコンポーネント内の呼吸用ガスの量）を相殺する及び／又は補償する。例えば、図１に表されるように、最大咳フローパラメータに関する情報を伝達する出力信号を生成するために使用されるセンサ１４２は、圧力生成器１４０に又はその近くに配置されてもよく、少なくとも導管１８２の所定の長さ（及び従ってその中の呼吸用ガスの所定の量）により被験者１０６の気道から分離されてもよい。導管１８２の長さは、約３フィート、約４フィート、約６フィート、約９フィート、約１２フィート、及び／又は他の長さでもよい。機械的換気システムにおける導管１８２の通常の適切な長さは、約６フィートと約９フィートとの間である。パラメータ決定モジュール１１２は、特定のセンサ１４２と被験者１０６の気道との間に配置された送出サーキット１８０の一部を補償するために、それに応じてキャリブレートされてもよい。
【００３２】
［３３］  いくつかの実施形態では、パラメータ決定モジュール１１２は、ＳｐＯ２レベル、心拍数、呼吸レート、ＶＣ、ＥＶＣ、ＩＶＣ、ＦＥＶ０．７５、ＦＥＶ１、ＦＥＶ３、ＦＥＶ６、ＦＶＣ、ＦＥＶ０．７５／ＶＣ、ＦＥＶ０．７５／ＦＶＣ、ＦＥＶ１／ＶＣ、ＦＥＶ１％、ＦＥＶ３／ＶＣ、ＦＥＶ０．７５／ＦＥＶ６、ＦＥＶ１／ＦＥＶ６、ＭＥＦ７５、ＭＥＦ５０、ＭＥＦ２５、ＭＭＥＦ、ＭＥＦ５０／ＶＣ、ＭＥＦ５０／ＦＶＣ、ＭＶＶ、ＦＩＶ１、ＦＩＶＣ、ＰＩＦ、ＦＩＶ１％、ＭＩＦ２５、ＭＩＦ５０、ＭＩＦ７５、Ｒ５０、ＭＥＴ、ＴＶ、ＥＲＶ、ＩＲＶ、ＩＣ、ＦＲＣ、ＲＶ、ＴＬＣ、ＦＲＣ／ＴＬＣ、ＲＶ／ＴＬＣ、及び／又は他のパラメータの１以上を、並びにこれらの任意の組み合わせ／比率を、決定するように構成される。１以上のこれらのパラメータは、本明細書の他の部分に説明されるように、ユーザインタフェース１２０、電子ディスプレイ１５０、及び／又はインタフェースモジュール１１３を用いて表示されてもよく、電子記憶装置１３０及び／又はメトリック記憶モジュール１１４を用いて格納されてもよい。
【００３３】
［３４］  図１におけるシステム１０の制御モジュール１１１は、被験者１０６の排痰の間、システム１０の動作を制御するように構成される。制御モジュール１１１は、１以上の（呼吸）療法レジメン、呼吸用ガスの加圧フローにおける調整及び／又は変化を制御する１以上のアルゴリズム、及び／又は他の要因に従って、呼吸用ガスの加圧フローの１以上のガスパラメータの１以上のレベルを調整する圧力発生器１４０を制御するように構成されてもよい。制御モジュール１１１は、呼吸用ガスの加圧フローの１以上のガスパラメータが、呼吸療法レジメン及び／又は治療に従って、時間と共に変化するように、圧力発生器１４０を制御するように構成されてもよい。制御モジュール１１１は、呼吸用ガスの加圧フローを、吸入相の間は吸入圧力レベルで、及び／又は呼気相の間は呼気圧力レベルで提供する圧力発生器１４０を制御するように構成されてもよい。例えば、呼吸用ガスの圧力フローの圧力は、被験者１０６を吸気するために、吸入の間、（例えばおよそ周囲大気に）上昇されてもよい。この吸気の間、フローレート、吸気圧力、及び／又は吸入量の１以上は、制御モジュール１１１によって制御されてもよい。（例えば療法レジメンに従って決定される）完了された吸気に反応して、制御モジュール１１１は、被験者１０６の肺及び／又は気道の中のガスがただちに排出及び／又は引き出され、これにより被験者を呼気させるために、圧力発生器１４０により呼吸用ガスの加圧フローの圧力を（例えば周囲大気及び／若しくは負圧よりも低く、又は吸気圧力よりも低い他の圧力に）減少させるように構成されてもよい。
【００３４】
［３５］  パラメータ決定モジュール１１２により決定された及び／又は１以上のセンサ１４２を通して受信されたパラメータは、例えばシステム１０の療法モード／設定／動作を調整するために、フィードバック的に制御モジュール１１１によって使用されてもよい。代替的に、及び／又は同時に、ユーザインタフェース１２０を通して受信された信号及び／又は情報は、例えばシステム１０の療法モード／設定／動作を調整するために、フィードバック的に制御モジュール１１１によって使用されてもよい。いくつかの実施形態では、ユーザ１０８は、例えばユーザインタフェース１２０を通して、システム１０の動作中に使用された１以上の圧力レベルを（例えば手動で）制御してもよい。制御モジュール１１１は、複数の呼吸サイクルにわたって、被験者の呼吸サイクルの移行時間に関して、及び／又はシステム１０の動作中の任意の検出されたイベント及び／又は発生との任意の他の関連で、その動作の時間を計るように構成されてもよい。
【００３５】
［３６］  いくつかの実施形態では、制御モジュール１１１の動作は、プログラム制御を通して、例えば制御モジュール１１１により実行される命令を通して実行されるアルゴリズムによって管理される。このようなアルゴリズムは、時間にわたって目標動作状況に到達する及び／又は達成するように、システム１０の動作状況を滴定するように設計されてもよい。例えば、アルゴリズムは、目標最大咳フローを個々の排痰に使用してもよい。アルゴリズムは、例えば１以上の新しい排痰の最大咳フローパラメータの決定に基づいて、吸気圧力レベルなどの呼吸用ガスの加圧フローのガスパラメータの１以上を調整してもよい。いくつかの実施形態では、代替的に及び／又は同時に、アルゴリズムが、個々の排痰のための目標吸気１回換気量に到達するように設計されてもよい。
【００３６】
［３７］  図１におけるシステム１０のインタフェースモジュール１１３は、情報を表示するためにユーザインタフェース１２０及び／又は電子ディスプレイ１５０を制御するように構成される。表示された情報は、１以上の生成された出力信号、最大咳フローパラメータ及び吸気１回換気量を含むがこれらに限定されないパラメータ決定モジュール１１２により決定された１以上のパラメータ、並びに／又は他の情報に関する（に基づく）。いくつかの実施形態では、表示された情報は、１以上の決定モジュールの集合体であってもよい。いくつかの実施形態では、表示された情報は、リアルタイムで表示され、これにより治療が被験者１０６に施されている間に、システム１０の動作及び／又は治療の有効性についての即時フィードバックを提供する。
【００３７】
［３８］  図１におけるシステム１０のメトリック記憶モジュール１１４は、情報を導出し、決定し、及び／又は電子記憶装置１３０に格納するように構成される。導出され、決定され、及び／又は格納された情報は、１以上のセンサ１４２からの１以上の生成された出力信号、パラメータ決定モジュール１１２からの１以上の決定パラメータ、制御モジュール１１１を通して制御されるシステム１０の１以上の動作状況、及び／又はシステム１０の動作に関する他の情報に基づいてもよい。例えば、メトリック記憶モジュール１４は、個々の排痰、このような排痰のセット、１以上のこのような排痰を含む個々の治療、このような治療のセット、１以上のこのような治療を含む日数、及び／若しくは１以上のこのような個々の排痰を含む治療時間の他の期間に基づいて、メトリックを導出並びに／又は決定するように構成されてもよい。メトリック記憶モジュール１１４は、その後、このようなメトリック及び／又はここに記載される他の情報を、メトリック記憶装置に格納するように構成されてもよい。
【００３８】
［３９］  いくつかの実施形態では、導出及び／又は格納されたメトリックは、治療毎の咳数、１日当たりの治療数、治療日数、治療毎の平均（又は総計された）最大咳フロー、１以上の治療を含む１日あたりの平均（又は総計された）最大咳フロー、平均（又は総計された）吸気１回換気量、個々の排痰、治療、及び／若しくは１以上の治療を含む日毎の吸気及び／若しくは呼気のための平均（又は総計された）送出圧力レベル、並びに／又はここに説明される治療に関する他の情報の１以上を含む。
【００３９】
［４０］  いくつかの実施形態では、メトリック記憶モジュール１１４によって格納された情報は、１以上の決定パラメータの総計であってもよい。いくつかの実施形態では、格納された情報は、検討及び／又は分析が１以上の治療の後に実行されるように、着脱可能な電子記憶装置に格納される。例えば、格納された情報は、ソフトウェアアプリケーションの使用のおかげによって、及び／又はネットワークに接続されたコンピュータプラットフォームを通して遠隔で、診察室で検討されてもよい。このような検討及び／又は分析は、時間にわたって１以上のパラメータにおける傾向を明らかにし得る。このような検討及び／又は分析は、被験者１０６のための療法レジメンを調整するのに使用されてもよい。このような検討及び／又は分析は、所定の療法レジメンを順守するレベルを検証する及び／又は数値化するために使用されてもよい。
【００４０】
［４１］  いくつかの実施形態では、システム１０は、格納された情報を、例えば着脱可能な電子記憶装置及び／又はネットワーク接続を通して、ここに説明された検討及び／又は分析を実行するように構成されたクライアント・コンピューティング・プラットフォームに転送してもよい。このようなクライアント・コンピューティング・プラットフォームは、格納された情報を、並びに／又は説明された検討及び／若しく分析からの任意の結果を、クライアント・コンピューティング・プラットフォームのユーザ、例えばユーザ１０８に提示するように更に構成されてもよい。限定されない例により、クライアント・コンピューティング・プラットフォームは、デスクトップ型コンピュータ、ラップトップ型コンピュータ、タブレット型コンピューティング・デバイス、ハンドヘルド型コンピュータ、ネットブック、スマートフォン、ゲームコンソール、インタラクティブテレビ、及び／又は他のコンピューティング・プラットフォーム若しくはコンピューティング・デバイスを含んでもよい。
【００４１】
［４２］  電子プロセッサ１１０及び／又はそのモジュールによる圧力発生器１４０の動作の説明は、限定的であることを意図するものではないことが理解されるだろう。送出サーキット１８０に沿った加圧に反応して圧力発生器１４０を開けるための他のコントローラは、この発明の範囲内にある。他の機械的コントローラも想定される。
【００４２】
［４３］  図２は、被験者の排痰のための方法２００を図示する。下記に提示される方法２００の処理は、例示的であることを意図している。いくつかの実施形態では、方法２００は、説明されていない１以上の追加的な処理を用いて、及び／又は述べられた１以上の処理無しで達成されてもよい。追加的に、図２に図示され且つ下記に説明される方法２００の処理の順番は、限定的であることを意図するものではない。
【００４３】
［４４］  いくつかの実施形態では、方法２００は、１以上の処理装置（デジタルプロセッサ、アナログプロセッサ、情報を処理するよう設計されたデジタル回路、情報を処理するよう設計されたアナログ回路、状態マシーン、及び／又は情報を電子的に処理する他の機構など）で実行されてもよい。１以上の処理装置は、電子記憶媒体に電子的に格納された命令に応答して、方法２００の処理の一部又はすべてを実行する１以上の装置を含んでもよい。１以上の処理装置は、方法２００の１以上の処理の実行のために特別に設計されたハードウェア、ファームウェア、及び／又はソフトウェアを介して構成される１以上の装置を含んでもよい。
【００４４】
［４５］  処理２０２において、呼吸用ガスの加圧フローは、被験者の気道への送出のために生成される。いくつかの実施形態では、処理２０２は、（図１に図示され、ここに説明される）圧力発生器１４０と同じか、又は類似する圧力発生器により実行される。
【００４５】
［４６］  処理２０４において、呼吸用ガスの加圧フローは、被験者の気道に導かれる。いくつかの実施形態では、処理２０４は、（図１に図示され、ここに説明される）送出サーキット１８０と同じか、又は類似する送出サーキットにより実行される。
【００４６】
［４７］  処理２０６において、ガスパラメータ及び／又は呼吸パラメータの一方又は両方を含む１以上のパラメータに関する情報を伝達する１以上の出力信号が生成される。いくつかの実施形態では、処理２０６は、（図１に図示され、ここに説明される）センサ１４２と同じか、又は類似するセンサにより実行される。
【００４７】
［４８］  処理２０８において、呼吸用ガスの加圧フローは、被験者を排痰するために制御される。いくつかの実施形態では、処理２０８は、（図１に図示され、ここに説明される）制御モジュール１１１と同じか、又は類似する制御モジュールにより実行される。
【００４８】
［４９］  処理２１０において、最大咳フローパラメータは、１以上の生成された出力信号に基づいて決定される。いくつかの実施形態では、処理２１０は、（図１に図示され、ここに説明される）パラメータ決定モジュール１１２と同じか、又は類似するパラメータ決定モジュールにより実行される。
【００４９】
［５０］  請求項において、括弧内に配置される参照符号は、請求項を限定するものとして解釈されるべきではない。「有する（comprising）」又は「含む（including）」という単語は、請求項に列記された以外の要素又はステップの存在を排除するものでない。複数の手段を列挙する装置の請求項において、これらの手段の複数は、全く同一のハードウェアのアイテムにより具体化されてもよい。要素に先行する「ある（a, an）」という単語は、このような要素が複数存在することを排除するものでない。複数の手段を列記した任意の装置に関する請求項において、これらの手段の複数は、単一且つ同一のハードウェアのアイテムにより具体化されてもよい。ある要素が互いに異なる従属請求項に記載されているという単なる事実は、これらの要素を組み合わせて使用することができないことを示すものでない。
【００５０】
［５１］  上記に提供された説明は、最も実用的で好ましい実施形態であると現在考えられているものに基づいて例示目的で詳細を提供しているが、このような詳細は、当該目的のみのためであり、本発明は、明確に開示された実施形態に限定されず、反対に、添付された請求項の趣旨及び範囲内の改良及び等価なアレンジメントをカバーすると意図されることが理解されるべきである。例えば、本発明は、任意の実施形態の１以上の特徴は、可能な限り任意の他の実施形態の１以上の特徴と組み合わせることができることを想定していることが理解されるべきである。